(57)【要約】【課題】  決済端末により継続期間を設定してクレジットカードで継続支払いを行うと共に、継続の変更、継続の停止を簡単に指示できるようにする。【解決手段】  クレジットカード７に記憶されたクレジット情報を読み出す決済端末１３と、クレジットカード７に対応する決済処理を行うクレジット決済サーバ１２に決済処理要求を送信する情報処理サーバ１１とを備える。決済端末１３は、クレジットカード７に基づく決済を継続して行う継続期間を示す継続期間情報の入力を受付け、クレジットカード７から読み出したクレジット情報と、入力された継続期間情報とを情報処理サーバ１１に送信する。情報処理サーバ１１は、決済端末１３からのクレジット情報と継続期間情報とに基づいて、継続期間情報が示す継続期間内に、クレジット決済サーバ１２に、継続期間が終了するまで、複数回、継続決済処理を行わせる。【選択図】  図１
2010170487.tif 000002
【特許請求の範囲】
【請求項１】
クレジットカードに記憶されたクレジット情報を読み出す決済端末と、前記クレジットカードに対応する決済処理を行うクレジット決済サーバに決済処理要求を送信する情報処理サーバと、を備えたクレジット決済システムであって、
前記決済端末は、
前記クレジットカードに基づく決済を継続して行う継続期間を示す継続期間情報の入力を受け付ける継続期間入力部と、
前記クレジットカードから読み出した前記クレジット情報と、入力された前記継続期間情報とを前記情報処理サーバに送信する継続期間情報送信部と、を備え、
前記情報処理サーバは、
前記決済端末から送信される前記クレジット情報と前記継続期間情報とに基づいて、前記継続期間情報が示す継続期間内に、前記クレジット決済サーバに複数回の決済処理を行わせる決済処理要求部を備える
ことを特徴とするクレジット決済システム。
【請求項２】
前記情報処理サーバは、前記ユーザの携帯端末と通信を行い、前記ユーザの携帯端末からの継続期間の変更情報を受信し、前記継続期間の変更情報に基づいて、継続期間の変更を行う継続期間変更処理部を備える
ことを特徴とする請求項１に記載のクレジット決済システム。
【請求項３】
前記情報処理サーバは、前記情報処理サーバが前記クレジット情報と前記継続期間情報とを受信したときに、前記ユーザの携帯端末に接続情報を送信し、前記送信した接続情報に応じて前記ユーザの携帯端末からアクセスがあった後でなければ、前記クレジット決済サーバでの決済処理を行わないようにする決済判断部
を備えることを特徴とする請求項１または請求項２に記載のクレジット決済システム。
【請求項４】
前記情報処理サーバの前記決済処理要求部は、
前記決済端末から送信される前記継続期間を含む第１の決済処理要求を生成して前記クレジット決済サーバに送信し、
前記クレジット決済サーバは、
前記クレジット決済処理要求に示される継続期間内の定められた期間毎に決済処理を行う第１の決済処理部を備える
ことを特徴とする請求項１から請求項３までのいずれか１項に記載のクレジット決済システム。
【請求項５】
前記情報処理サーバの前記決済処理要求部は、
前記決済端末から送信される前記クレジット情報に基づいて継続した決済を要求する第２の決済処理要求を生成して前記クレジット決済サーバに送信し、
前記情報処理サーバは、
前記決済端末から送信される前記継続期間の終了時に、前記決済の継続を終了することを示す継続終了情報を前記クレジット決済サーバに送信する継続終了情報送信部を備え、
前記クレジット決済サーバは、
前記決済処理要求部から送信される前記第２の決済処理要求を受信すると、前記クレジット情報に基づいて継続して決済処理を行い、前記継続終了情報送信部から送信される前記継続終了情報を受信すると、決済処理の継続を終了する第２の決済処理部を備える
ことを特徴とする請求項１から請求項３までのいずれか１項に記載のクレジット決済システム。
【請求項６】
前記情報処理サーバの前記決済処理要求部は、
前記決済端末から送信される前記クレジット情報に基づいた決済を要求する第３の決済処理要求を、継続期間内の定められた期間毎に送信する
ことを特徴とする請求項１から請求項３までのいずれか１項に記載のクレジット決済システム。
【発明の詳細な説明】
【技術分野】
【０００１】
本発明は、クレジット決済システムに関するもので、特に、クレジットでの継続支払いに係わる。
【背景技術】
【０００２】
クレジットカードは、店舗での商品の購入に使用される他、ガス、電気、水道のような公共料金の支払いにも用いられている（例えば、特許文献１）。また、訪問販売やデリバリーサービス等でクレジットカードでの支払いが可能となるように、小型で、持ち運びが可能な携帯型の決済端末が普及し始めている。
【先行技術文献】
【特許文献】
【０００３】
【特許文献１】特開２００４−０８６５８０号公報
【発明の概要】
【発明が解決しようとする課題】
【０００４】
新聞の購読料などのように、ある期間、継続して支払いが発生する場合、クレジットカードで継続支払いができれば、毎月の新聞の購読料金がクレジットカードにより自動的に支払われ、事業者にとっても、購読料を支払うクレジットカードのユーザにとっても、利便性が高い。また、このクレジットカードによる継続的な支払いに関する手続を携帯型の決済端末で行うことができれば、販売員がユーザの家庭を訪問して、クレジットカードでの購読料の支払い手続きを行えるため、非常に便利である。しかし、一般に、継続的に購入する商品についてクレジットカードで継続的に支払いを行う場合、商品購入の中断や停止又は支払いの中断や停止を行うには、商品購入元とクレジットカード会社の両方に中断や中止の手続を行う必要がある。
【０００５】
例えば、新聞の購読の場合、新聞の購読期間は、３ヶ月、６ヶ月、１年等、様々である。クレジットカードで継続支払いを行う場合には、ユーザは、クレジットカード会社に手続きを行う必要があり、また、継続支払いを停止する場合には、ユーザは、クレジットカード会社に手続きを行う必要がある。このため、新聞の購読料をクレジットカードで継続支払いする場合には、新聞の購読期間を終了したら、必ず、クレジットカード会社に継続支払いの停止の手続きを行う必要がある。継続支払いの停止の手続きを忘れたり、遅れたりすると、不本意な支払いが発生する可能性がある。
【０００６】
さらに、新聞の購読の場合には、ユーザが、購読期間の変更や、購読の中止を行う機会が頻繁に発生する。クレジットカードで継続支払いを行っていると、購読期間の変更や購読の中止と共に、クレジットカード会社に継続支払いの停止の手続きをその都度行う必要がある。
【０００７】
上述の課題を鑑み、本発明は、決済端末により継続期間を設定してクレジットカードで継続支払いを行うことができると共に、継続の変更、継続の停止を簡単に指示できるクレジット決済システムを提供することを目的とする。
【課題を解決するための手段】
【０００８】
上述の課題を解決するために、本発明は、クレジットカードに記憶されたクレジット情報を読み出す決済端末と、クレジットカードに対応する決済処理を行うクレジット決済サーバに決済処理要求を送信する情報処理サーバと、を備えたクレジット決済システムであって、決済端末は、クレジットカードに基づく決済を継続して行う継続期間を示す継続期間情報の入力を受け付ける継続期間入力部と、クレジットカードから読み出したクレジット情報と、入力された継続期間情報とを情報処理サーバに送信する継続期間情報送信部とを備え、情報処理サーバは、決済端末から送信されるクレジット情報と継続期間情報とに基づいて、継続期間情報が示す継続期間内に、クレジット決済サーバに複数回の決済処理を行わせる決済処理要求部とを備えることを特徴とするクレジット決済システムである。
【０００９】
上記発明において、情報処理サーバは、ユーザの携帯端末と通信を行い、ユーザの携帯端末からの継続期間の変更情報を受信し、継続期間の変更情報に基づいて、継続期間の変更を行う継続変更処理部を備えたことを特徴とする。
【００１０】
上記発明において、情報処理サーバは、情報処理サーバがクレジット情報と継続期間情報とを受信したときに、ユーザの携帯端末に接続情報を送信し、送信した接続情報に応じてユーザの携帯端末からアクセスがあった後でなければ、クレジット決済サーバでの決済処理を行わないようにする決済判断部を備えたことを特徴とする。
【００１１】
上記発明において、情報処理サーバの決済処理要求部は、決済端末から送信される継続期間を含む第１の決済処理要求を生成してクレジット決済サーバに送信し、クレジット決済サーバは、クレジット決済処理要求に示される継続期間内の定められた期間毎に決済処理を行う第１の決済処理部を備えることを特徴とする。
【００１２】
上記発明において、情報処理サーバの決済処理要求部は、決済端末から送信されるクレジット情報に基づいて継続した決済を要求する第２の決済処理要求を生成してクレジット決済サーバに送信し、情報処理サーバは、決済端末から送信される継続期間の終了時に、決済の継続を終了することを示す継続終了情報をクレジット決済サーバに送信する継続終了情報送信部を備え、クレジット決済サーバは、決済処理要求部から送信される第２の決済処理要求を受信すると、クレジット情報に基づいて継続して決済処理を行い、継続終了情報送信部から送信される継続終了情報を受信すると、決済処理の継続を終了する第２の決済処理部を備えることを特徴とする。
【００１３】
上記発明において、情報処理サーバの決済処理要求部は、決済端末から送信されるクレジット情報に基づいた決済を要求する第３の決済処理要求を、継続期間内の定められた期間毎に送信することを特徴とする。
【発明の効果】
【００１４】
本発明によれば、販売員が持ち歩いている決済端末により、継続期間を設定して、クレジットカードで継続支払いを行うことができる。また、本発明によれば、ユーザが、ユーザの携帯端末を使って、継続の変更、継続の停止を指示できる。さらに、本発明によれば、カード会社のクレジット決済サーバに送る電文を新たに定義することなく、継続期間を設定して、クレジットカードで継続支払いを行うことができる。
【図面の簡単な説明】
【００１５】
【図１】本発明の一実施形態のクレジット決済システムを示すブロック図である。
【図２】本発明の一実施形態のクレジット決済システムにおける決済端末の構成を示すブロック図である。
【図３】本発明の一実施形態のクレジット決済システムにおける情報処理サーバの構成を示すブロック図である。
【図４】本発明の一実施形態のクレジット決済システムにおける情報処理サーバのデータベースに格納されるデータの説明図である。
【図５】本発明の一実施形態のクレジット決済システムにおける継続期間の変更、停止処理画面の説明図である。
【図６】本発明の第１の実施形態のクレジット決済システムの説明に用いるシーケンス図である。
【図７】本発明の第１の実施形態のクレジット決済システムの説明に用いるシーケンス図である。
【図８】本発明の第１の実施形態のクレジット決済システムの説明に用いるシーケンス図である。
【図９】本発明の第１の実施形態のクレジット決済システムの説明に用いるシーケンス図である。
【図１０】本発明の第１の実施形態のクレジット決済システムの説明に用いるシーケンス図である。
【図１１】本発明の一実施形態のクレジット決済システムにおける決済端末と情報処理サーバとの間の電文の説明図である。
【図１２】本発明の一実施形態のクレジット決済システムにおける情報処理サーバとクレジット決済サーバとの間の電文の説明図である。
【図１３】本発明の第２の実施形態のクレジット決済システムの説明に用いるシーケンス図である。
【図１４】本発明の第２の実施形態のクレジット決済システムの説明に用いるシーケンス図である。
【図１５】本発明の第２の実施形態のクレジット決済システムの説明に用いるシーケンス図である。
【図１６】本発明の第２の実施形態のクレジット決済システムの説明に用いるシーケンス図である。
【図１７】本発明の第２の実施形態のクレジット決済システムの説明に用いるシーケンス図である。
【図１８】本発明の第３の実施形態のクレジット決済システムの説明に用いるシーケンス図である。
【図１９】本発明の第３の実施形態のクレジット決済システムの説明に用いるシーケンス図である。
【図２０】本発明の第３の実施形態のクレジット決済システムの説明に用いるシーケンス図である。
【図２１】本発明の第３の実施形態のクレジット決済システムの説明に用いるシーケンス図である。
【図２２】本発明の第３の実施形態のクレジット決済システムの説明に用いるシーケンス図である。
【発明を実施するための形態】
【００１６】
以下、本発明の実施の形態について図面を参照しながら説明する。
＜第１の実施形態＞
図１は、本発明の第１の実施形態のクレジット決済システムを示すものである。図１において、情報処理サーバ１１は、情報処理センタ１に置かれたサーバである。情報処理サーバ１１は、専用回線２１ａを介して、クレジットカード会社（以後、カード会社）２のクレジット決済サーバ１２と接続されている。クレジット決済サーバ１２は、クレジットカード７での課金処理を行っている。
【００１７】
決済端末１３は、事業者５に属する販売員３が持ち歩いている携帯型のクレジットカードの決済端末である。決済端末１３は、専用回線２１ｂを介して、情報処理センタ１の情報処理サーバ１１と接続可能とされている。また、決済端末１３は、赤外線やＢｌｕｅｔｏｏｔｈ（登録商標）を使って、携帯端末１４からの情報入力が可能である。
【００１８】
携帯端末１４は、ユーザ４が保有している端末である。携帯端末１４としては、インターネットに接続可能な携帯電話端末を用いることができる。携帯端末１４は、公衆回線２３（インターネット）により、情報処理センタ１のウェブサーバ１５３（図３参照）を経由して情報処理サーバ１１と接続可能とされている。なお、携帯端末１４の代わりに、ユーザ４のパーソナルコンピュータを用いても良い。
【００１９】
事業者端末１５は、事業者５が保有している端末である。事業者端末１５としては、パーソナルコンピュータを用いることができる。事業者端末１５は、公衆回線２３を介して、情報処理センタ１のウェブサーバ１５３を経由して情報処理サーバ１１に接続可能とされている。
【００２０】
図２は、決済端末１３の構成を示すものである。図２において、制御部１０１は、決済端末１３の装置全体の制御を行っている。カード読取部１０２は、クレジットカード７に記憶されたクレジットカード情報を読み取る。クレジットカード７としては、磁気カードや、ＩＣカード等がある。カード読取部１０２は、磁気カードやＩＣカードに対応して、情報を読み取ることが可能である。クレジットカード情報は、クレジットカードの識別情報や、有効期限などが含まれる情報である。
【００２１】
入力部１０３は、キーボード等からなる。入力部１０３は、ユーザ情報の入力や、番号の入力等に用いられる。本実施形態では、入力部１０３は、クレジットカードに基づく決済を継続して行う継続期間を示す継続期間情報の入力を受け付ける。表示部１０４は、種々の情報を表示するものである。表示部１０４としては、例えば液晶ディスプレイが用いられる。
【００２２】
通信部１０５は、専用回線２１ｂを介して、情報処理センタ１の情報処理サーバ１１と通信を行うものである。通信部１０５は、無線による通信を行う。本実施形態では、通信部１０５は、カード読取部１０２がクレジットカード７から読み出したクレジット情報と、入力部１０３に入力された継続期間情報とを情報処理サーバ１１に送信する。赤外線インターフェース１０６は、赤外線通信によりユーザ４の携帯端末１４と通信を行い、ユーザ情報を入力可能とするものである。ワイヤレスインターフェース１０７は、Ｂｌｕｅｔｏｏｔｈ（登録商標）等を用いて、ユーザ４の携帯端末１４と通信を行い、ユーザ情報を入力可能とするものである。
【００２３】
記憶部１０８は、カード読取部１０２や入力部１０３から入力された各種の情報（決済情報、継続支払登録情報、継続期間情報、ユーザ情報、端末情報等）を記憶するのに用いられる。印刷部１０９は、伝票の作成、印字に用いられる。印刷部１０９からは、伝票９が排出される。電源部１１０は、決済端末１３の装置全体に電源を供給している。決済端末１３は、携帯して使用できるように、電源部１１０としてバッテリーが用いられている。
【００２４】
図３は、情報処理センタ１の構成を示すものである。情報処理センタ１には、情報処理サーバ１１が設けられている。この情報処理サーバ１１には、データベース１５１が設けられる。データベース１５１には、図４に示すように、決済情報、継続支払登録情報、継続期間情報、ユーザ情報、端末情報、事業者情報のレコードが格納されている。
【００２５】
情報処理サーバ１１は、ゲートウェイサーバ１５２を介して、専用回線２１ａ、２１ｂと接続可能とされている。この専用回線２１ａ、２１ｂにより、決済端末１３やクレジット決済サーバ１２と通信を行う。
【００２６】
また、情報処理サーバ１１は、ウェブサーバ１５３、ゲートウェイサーバ１５４により、公衆回線２３を介して、インターネットのウェブページで、ユーザの携帯端末１４や事業者５の事業者端末１５に、情報を提供できる。また、情報処理サーバ１１は、自身が備える決済処理要求部により、決済端末１３から送信されるクレジット情報と継続期間情報とに基づいた決済処理要求をクレジット決済サーバ１２に送信し、継続期間情報が示す継続期間内に複数回の決済処理を行わせる。また、情報処理サーバ１１は、ユーザによって入力された継続期間の変更情報を携帯端末１４から受信し、受信した継続期間の変更情報に基づいて、継続期間の変更処理を行う。また、情報処理サーバ１１は、ユーザの携帯端末１４や事業者５の事業者端末１５に、メール送信を行う。
【００２７】
図１において、本発明の第１の実施形態のシステムでは、販売員３が決済端末１３を持ち歩いてユーザ宅６に出向き、ユーザ４に商品を販売し、ユーザ４がクレジットカード７を使って商品の代金の支払いを行う。このようなシステムは、例えば、クレジットカード７で新聞の購読料を支払うような場合に用いて好適である。以下、本発明のシステムを、新聞の購読料の継続支払いに用いる場合について説明する。
【００２８】
先ず、継続払い登録時には、新聞の販売員３は、決済端末１３を携帯して、ユーザ宅６に出向く。ここで、販売員３とユーザ４との交渉により、ユーザ４がクレジットカード７で購読料を継続支払いで行うことになったとする。新聞の購読の場合、３ヶ月、６ヶ月、１年のように、複数の継続期間がある。
【００２９】
継続払いの登録時には、販売員３は、携帯している決済端末１３に、ユーザ情報を入力する。ユーザ情報は、ユーザ４の携帯端末１４から決済端末１３に、図２に示す決済端末１３の赤外線インターフェース１０６やワイヤレスインターフェース１０７を使って、入力することができる。また、決済端末１３の入力部１０３からユーザ情報を直接入力しても良い。ユーザ情報は、ユーザ名、ユーザの電話番号、メールアドレス等である。このユーザ情報は、図２に示す決済端末１３の記憶部１０８に一旦格納される。
【００３０】
また、このとき、決済端末１３には、ユーザ４により、継続期間情報が入力される。この継続期間情報は、図２に示す決済端末１３の記憶部１０８に一旦格納される。そして、図２に示す決済端末１３のカード読取部１０２に、ユーザ４のクレジットカード７を読み込ませる。このクレジットカード７の情報は、カード読取部１０２で読み取られ、決済に必要なその他の情報と共に決済情報として記憶部１０８に一旦格納される。そして、図２に示す決済端末１３の通信部１０５により、決済端末１３から情報処理センタ１の情報処理サーバ１１に、ユーザ情報と、継続期間情報と、決済情報とが送られる。
【００３１】
情報処理センタ１の情報処理サーバ１１は、決済端末１３から、ユーザ情報と、継続期間情報と、決済情報とが送られると、データベース１５１に図４に示す情報を記憶させる。
【００３２】
図４は、データベース１５１に記憶される情報の一例である。図４（Ａ）に示すように、決済情報レコードは、端末ＩＤと、処理日時と、種別と、伝票番号（決済端末１３が独自に発番する）と、クレジットカード情報と、決済金額と、商品コードと、処理結果のフィールドとを含む。
【００３３】
端末ＩＤのフィールドには、使用された決済端末のＩＤが示される。種別のフィールドは、決済の種別を示しており、「通常」、「継続」、「終了」などが適用される。また、例えば継続なら「２」のように種別に対応付けられた番号により示されるようにしても良い。クレジットカード情報のフィールドは、クレジットカードの情報が漏洩しないように、暗号化されている。決済金額のフィールドは、決済された金額である。なお、継続の場合には、仮の値を入れておく。処理結果のフィールドは、カード会社２のクレジットのクレジット決済サーバ１２への決済情報電文に対する、カード会社２のクレジット決済サーバ１２からの応答電文に基づいて、結果が示される。
【００３４】
図４（Ｂ）に示すように、継続支払登録情報のレコードは、端末ＩＤと、登録日時と、種別と、伝票番号と、決済情報と、継続期間情報のフィールドを含む。決済情報のフィールドには、図４（Ａ）に示す決済情報のレコードが入る。継続期間情報のフィールドには、図４（Ｃ）に示す継続期間のレコードが入る。
【００３５】
図４（Ｃ）に示すように、継続期間情報のレコードは、端末ＩＤと、処理日時と、種別と、ユーザＩＤと、継続開始年月と、継続終了年月と、結果（クレジット決済サーバ１２からの継続支払登録結果）のフィールドを含む。
【００３６】
図４（Ｄ）に示すように、ユーザ情報のレコードは、ユーザＩＤと、ユーザ名と、ユーザの電話番号と、ユーザのメールアドレスのフィールドを含む。また、図示しないが、ユーザ４が携帯端末１４によって、情報処理センタ１へアクセスする際に使用するＩＤとパスワードも、情報処理センタ１の情報処理サーバ１１において作成されて記憶される。
【００３７】
図４（Ｅ）に示すように、端末情報のレコードは、端末ＩＤと、事業者ＩＤと、端末種別と、端末設定情報のフィールドを含む。端末種別のフィールドには、クレジットカードのみ対応（例えば、「１」など）、クレジットカードとデビッドカードが使用可能等の種別が示される。
【００３８】
図４（Ｆ）に示すように、事業者情報のレコードは、事業者ＩＤと、事業者名と、事業者の電話番号と、事業者のメールアドレスと、商品ＩＤと、商品名と、金融機関情報のフィールドを含む。
【００３９】
図１において、情報処理センタ１は、決済端末１３からの情報に基づいて、データベース１５１に情報を記憶させると、カード会社２のクレジット決済サーバ１２に決済情報を送信し、決済が可能かどうかの問い合わせを行う。決済が可能なら、情報処理センタ１の情報処理サーバ１１は、継続支払の登録を行い、登録が完了すると、決済端末１３に登録完了情報を送信する。
【００４０】
決済端末１３は、専用回線２１ｂを介して、情報処理サーバ１１からの登録完了情報を受信すると、これに基づいて、図２の決済端末１３の印刷部１０９により、伝票９の作成、印字を行う。販売員３は、決済端末１３で印字された伝票９をユーザ４に渡す。
【００４１】
また、情報処理センタ１の情報処理サーバ１１から事業者５の事業者端末１５には、ユーザ情報と継続期間情報とが例えばメールで送られる。また、情報処理センタ１の情報処理サーバ１１からユーザ４の携帯端末１４には、登録情報と、継続期間情報と、情報処理センタへの接続情報（ＩＤ及びパスワード）とが例えばメールで送られる。
【００４２】
継続払い登録が完了すると、契約した継続期間内では、ユーザ４の新聞購読料は、毎月、カード会社２のクレジット決済サーバ１２により、クレジットカード支払いにより決済されることになる。
【００４３】
ユーザ４が契約期間変更や停止を行いたい場合には、ユーザ４は、携帯端末１４で、情報処理センタ１の情報処理サーバ１１のウェブサーバ１５３にアクセスする。情報処理センタ１への接続情報（ＩＤ，パスワード）は、登録完了時に、携帯端末１４にメールで送られる。
【００４４】
情報処理センタ１のウェブサーバ１５３がアクセスされると、図５（Ａ）に示すような、認証画面のウェブページ２００が情報処理センタ１から携帯端末１４に送られる。ここで、ユーザ４がＩＤの欄２０１及びパスワードの欄２０２にＩＤ及びパスワードを入力すると、携帯端末１４は、入力された情報を情報処理センタ１に送信する。情報処理センタ１は、送信された情報に基づいてユーザの認証を行う。認証により正規のユーザからのアクセスであることが確認されると、情報処理センタ１から携帯端末１４に、図５（Ｂ）に示すような、期間変更・終了画面２１０が送られる。
【００４５】
ユーザ４は、継続の停止を行いたい場合には、この期間変更・終了画面２１０上で、継続停止のボタン２１１を押下する。この継続停止の情報は、携帯端末１４から情報処理サーバ１１に送られる。
【００４６】
また、契約期間変更を行いたい場合には、ユーザ４は、この期間変更・終了画面上で、支払終了日の欄２１２を変更し、変更ボタン２１３を押下すると、この支払終了日の欄２０２の情報が携帯端末１４から情報処理サーバ１１に送られる。キャンセルの場合には、ユーザ４は、キャンセルボタン２１４を押下する。
【００４７】
情報処理サーバ１１は、携帯端末１４から、ウェブサーバ１５３を経由して継続の停止や、契約期間の変更の情報を受信すると、この情報に基づいて、データベース１５１に記憶された継続期間情報（図４（Ｃ））を更新する。
【００４８】
以上のように、本発明の第１の実施形態では、継続払い登録時に、継続期間の情報が決済端末１３に入力され、情報処理センタ１の情報処理サーバ１１に送られる。情報処理サーバ１１のデータベース１５１は、この継続期間の情報（図４（Ｃ））が含まれる。このため、３ヶ月、６ヶ月、１年というように、継続期間を決めて契約を行い、クレジットカードでの支払いを行うことができる。
【００４９】
本発明の第１の実施形態の特徴を挙げると、以下の点にある。
（１）ユーザ４は、クレジットカード７を使って、毎月の継続支払いを、継続期間を設定して行うことができる。
（２）支払いは、販売員３が持ち歩いている決済端末１３により行え、ユーザがカード会社２に手続きを行う必要はない。
（３）ユーザ４は、ユーザの携帯端末１４を使って、継続の変更、継続の停止を指示できる。
【００５０】
つまり、新聞の購読の場合、３ヶ月、６ヶ月、１年のように、複数の継続期間がある。本発明の第１の実施形態では、継続期間を設定して、毎月の支払いを、クレジットカード７を使って行うことができる。また、支払いの手続きは、販売員３が持ち歩いている決済端末１３により行うことができる。このため、ユーザ４は、カード会社２に郵送で手続きをする等の手間がない。また、新聞の契約が終了すると、特別な手続きをせずに、クレジットでの継続支払いも満了する。そして、新聞の購読を止めたり、継続期間を変更したりしたくなったときには、ユーザの携帯端末１４を使って、継続の変更、継続の停止を簡単に指示できる。
【００５１】
図６〜図１０は、本発明の第１の実施形態の処理を示すシーケンス図である。なお、この例では、カード会社２のクレジット決済サーバ１２が、継続期間まで、毎月、課金処理を行っている。
【００５２】
図６において、継続払い登録時には、ユーザの携帯端末１４は、決済端末１３にユーザ情報を送信する（ステップＳ１０１）。ここでは、ユーザ４が、販売員３が持ち歩いている決済端末１３にユーザ情報を入力するようにしても良い。また、決済端末１３は、ユーザ４からの継続期間情報の入力を受け付ける（ステップＳ１０２）。そして、ユーザ４は決済端末１３にクレジットカード７に記憶された情報を読み取らせ、決済端末１３は、クレジットカード７の情報を読み込む（ステップＳ１０３）。すると決済端末１３は、取得したユーザ情報と継続期間情報とクレジットカード情報とに基づいて、決済情報電文と、ユーザ情報電文と、継続期間電文とを作成する（ステップＳ１０４）。
【００５３】
決済端末１３は、情報処理センタ１の情報処理サーバ１１に、作成した決済情報電文と、ユーザ情報電文と、継続期間情報電文とを送信する（ステップＳ１０５ａ〜１０５ｃ）。決済情報電文は、図１１（Ａ）に示すように、端末ＩＤと、処理日時と、種別と、伝票番号と、クレジットカード情報と、決済金額と、商品コードと、処理結果（クレジット決済サーバ１２からの決済結果）とを含む。ユーザ情報電文は、図１１（Ｂ）に示すように、ユーザＩＤと、ユーザ名と、電話番号と、メールアドレスと、結果（情報処理サーバ１１からのユーザ情報登録結果）とを含む。継続期間電文は、図１１（Ｃ）に示すように、端末ＩＤと、処理日時と、種別と、ユーザＩＤと、継続開始年月と、継続終了年月と、結果（情報処理サーバ１１からの継続期間情報登録結果）とを含む。
【００５４】
情報処理センタ１の情報処理サーバ１１は、決済情報電文と、ユーザ情報電文と、継続期間電文とを受信すると、データベース１５１に図４に示した情報を記憶させる（ステップＳ１０６ａ〜１０６ｃ）。
【００５５】
情報処理センタ１の情報処理サーバ１１は、カード会社２のクレジット決済サーバ１２に、決済情報電文を送信する（ステップＳ１０７）。この決済情報電文は、図１２（Ａ）に示すように、端末ＩＤと、処理日時と、種別と、伝票番号と、クレジットカード情報と、決済金額と、商品コードと、処理結果（クレジット決済サーバ１２からの決済情報処理結果）とを含む。
【００５６】
カード会社２のクレジット決済サーバ１２は、決済情報電文を受信すると、カード決済の可／不可の判断を行う（ステップＳ１０８）。ここで、決済不可なら、クレジット決済サーバ１２は決済不可結果電文を作成して、情報処理センタ１の情報処理サーバ１１に送信する（ステップＳ１０９）。情報処理センタ１の情報処理サーバ１１は、決済不可結果電文を受信すると、決済端末１３に、決済不可結果電文を送信する（ステップＳ１１０）。決済端末１３は、決済不可結果電文を受信すると、決済不可の結果を表示部１０４に表示する（ステップＳ１１１）。
【００５７】
決済不可でなければ、情報処理センタ１の情報処理サーバ１１は、カード会社２のクレジット決済サーバ１２に、継続期間付きの継続支払登録電文を送信する（ステップＳ１１２）。この継続期間付きの継続支払登録電文は、図１２（Ｂ）に示すように、端末ＩＤと、登録日時と、種別と、伝票番号と、決済情報と、継続期間情報とを含む。決済情報は、クレジットカード情報と、決済金額と、商品コードと、処理結果とを含む。継続期間情報は、継続開始年月と、継続終了年月と、結果（クレジット決済サーバ１２からの継続期間情報処理結果）とを含む。
【００５８】
カード会社２のクレジット決済サーバ１２は、継続支払登録を行う（ステップＳ１１３）。カード会社２のクレジット決済サーバ１２は、登録を完了すると、決済、登録完了電文を送信する（ステップＳ１１４）。情報処理センタ１の情報処理サーバ１１は、決済、登録完了電文を受信すると、データベース１５１を更新する（ステップＳ１１５）。そして、情報処理センタ１の情報処理サーバ１１は、決済端末１３に、決済結果電文を送信する（ステップＳ１１６）。
【００５９】
決済端末１３は、情報処理サーバ１１からの決済結果電文を受け取ると、印刷部１０９で、伝票９の作成、印字を行う（ステップＳ１１７）。販売員３は、ユーザ４に伝票９を渡す。
【００６０】
また、情報処理センタ１の情報処理サーバ１１は、ユーザ情報と継続期間情報とを含むメールを作成し、事業者５の事業者端末１５に、メール送信する（ステップＳ１１８）。事業者端末１５は、このメールを受信して、表示する（ステップＳ１１９）。また、情報処理センタ１の情報処理サーバ１１は登録情報、継続期間情報、情報処理センタへの接続情報を含むメールを作成し、ユーザ４の携帯端末１４にメール送信する（ステップＳ１２０）。ユーザ４の携帯端末１４は、このメールを受信して表示する（ステップＳ１２１）。この接続情報には、情報処理センタへのアクセス先（ＵＲＬ）や、ＩＤ、パスワードが含まれている。
【００６１】
図７は、毎月の課金処理の流れを示すシーケンス図である。カード会社２のクレジット決済サーバ１２は、毎月、設定時に、課金処理を行う（ステップＳ１３１ａ、１３１ｂ、…）。前述したように、この例では、カード会社２のクレジット決済サーバ１２が、継続期間まで、毎月、課金処理を行っている。
【００６２】
図８は、継続停止時の処理の流れを示すシーケンス図である。継続を停止する場合には、ユーザの携帯端末１４は、ユーザ４からの操作情報の入力に従って、情報処理センタ１のウェブサーバ１５３を経由して情報処理サーバ１１にアクセスする（ステップＳ１４１）。このとき、情報処理サーバ１１は、登録完了時に送られてきた接続情報を用いて、認証を行う（ステップＳ１４２）。
【００６３】
アクセスが許可されると、期間変更・終了画面が情報処理センタ１からユーザ４の携帯端末１４に送られる（ステップＳ１４３）。携帯端末１４は、この期間変更・終了画面２１０を表示する（ステップＳ１４４）。
【００６４】
ユーザ４は、この期間変更・終了画面２１０で、携帯端末１４に継続期間終了を指示する。この継続期間の終了指示は、携帯端末１４から情報処理センタ１のウェブサーバ１５３を経由して情報処理サーバ１１に送られる（ステップＳ１４５）。
【００６５】
情報処理センタ１の情報処理サーバ１１は、継続期間の終了指示を受け取ると、これに応じて、データベース１５１の更新処理を行う（ステップＳ１４６）。そして、情報処理サーバ１１は、カード会社２のクレジット決済サーバ１２に、継続終了電文を送信する（ステップＳ１４７）。この継続終了電文は、図１２（Ｅ）に示すように、端末ＩＤと、処理日時と、種別と、ユーザＩＤと、継続開始年月と、継続終了年月と、結果（クレジット決済サーバ１２からの継続終了処理結果）の情報が含まれている。この継続終了電文では、種別は、終了となっている。
【００６６】
カード会社２のクレジット決済サーバ１２は、継続終了電文を受信すると、継続決済を終了する（ステップＳ１４８）。そして、情報処理サーバ１１は、事業者５の事業者端末１５に継続決済の終了を示す情報を含むメールを作成して送信する（ステップＳ１４９）。事業者端末１５は、このメールを受信して表示する（ステップＳ１５０）。また、情報処理センタ１の情報処理サーバ１１は継続決済終了の処理を示す情報を含むメールを作成してユーザ４の携帯端末１４に、メール送信する（ステップＳ１５１）。ユーザ４の携帯端末１４は、このメールを受信して表示する（ステップＳ１５２）。
【００６７】
図９は、期間変更時の処理の流れを示すシーケンス図である。期間変更の場合には、ユーザ４は、ユーザの携帯端末１４で、情報処理センタ１のウェブサーバ１５３を経由して情報処理サーバ１１にアクセスする（ステップＳ１６１）。このとき、情報処理サーバ１１は、登録完了時に送られてきた接続情報を用いて、認証を行う（ステップＳ１６２）。
【００６８】
アクセスが許可されると、期間変更・終了画面が情報処理センタ１からユーザの携帯端末１４に送られてくる（ステップＳ１６３）。携帯端末１４は、この期間変更・終了画面２１０を表示する（ステップＳ１６４）。
【００６９】
ユーザ４は、この期間変更・終了画面２１０で、携帯端末１４に継続期間変更を指示する。この継続期間の変更指示は、携帯端末１４から情報処理センタ１のウェブサーバ１５３を経由して情報処理サーバ１１に送られる（ステップＳ１６５）。
【００７０】
情報処理センタ１の情報処理サーバ１１は、期間変更の指示を受け取ると、これに応じて、データベース１５１の更新処理を行う（ステップＳ１６６）。そして、情報処理サーバ１１は、カード会社２のクレジット決済サーバ１２に、継続期間電文を送信する（ステップＳ１６７）。この継続変更電文は、図１２（Ｄ）に示すように、端末ＩＤと、処理日時と、種別と、ユーザＩＤと、継続開始年月と、継続終了年月と、結果（クレジット決済サーバ１２からの継続期間変更処理結果）の情報が含まれている。この継続期間電文では、種別は、継続となっている。
【００７１】
カード会社２のクレジット決済サーバ１２は、継続期間変更電文を受信すると、継続期間の変更を行う（ステップＳ１６８）。そして、情報処理サーバ１１は、事業者５の事業者端末１５に継続期間の変更を示す情報を含むメールを作成して送信する（ステップＳ１６９）。事業者端末１５は、このメールを受信して表示する（ステップＳ１７０）。また、情報処理センタ１の情報処理サーバ１１は、継続期間の変更処理を示す情報を含むメールを作成して、ユーザ４の携帯端末１４にメール送信する（ステップＳ１７１）。ユーザ４の携帯端末１４は、このメールを受信して表示する（ステップＳ１７２）。
【００７２】
図１０は、継続期間満了時の処理の流れを示すシーケンス図である。継続期間が満了すると、カード会社２のクレジット決済サーバ１２は、毎月の継続支払い処理を終了する（ステップＳ１８１）。すなわち、前述したように、この例では、カード会社２のクレジット決済サーバ１２が、継続期間まで、毎月、課金処理を行っており、カード会社２のクレジット決済サーバ１２側で、継続期間の満了を判断し、継続処理を終了する。
【００７３】
また、継続期間が満了すると、情報処理サーバ１１は、事業者５の事業者端末１５にメールを作成して送信する（ステップＳ１８２）。事業者端末１５は、このメールを受信して、事業者５に、その継続期間の満了を知らせる（ステップＳ１８３）。また、情報処理センタ１の情報処理サーバ１１はメールを作成してユーザ４の携帯端末１４に、メール送信する（ステップＳ１８４）。ユーザ４の携帯端末１４は、このメールを受信して、ユーザ４に、継続期間が満了したことを知らせる（ステップＳ１８５）。
【００７４】
＜第２の実施形態＞
図１３〜図１７は、本発明の第２の実施形態の処理を示すシーケンス図である。上述の第１の実施形態では、カード会社２のクレジット決済サーバ１２が、継続期間まで、毎月、課金処理を行っている。この場合、情報処理センタ１の情報処理サーバ１１は、カード会社２のクレジット決済サーバ１２に、図１２（Ｂ）に示した継続期間情報付きの継続支払登録電文を送る必要がある。このような継続期間情報付きの継続期間を指定した継続支払登録電文が定義されていない場合には、新たに定義する必要がある。
【００７５】
これに対して、この実施形態では、カード会社２のクレジット決済サーバ１２に、継続期間情報付きの継続期間情報を送信する必要がないようにしている。継続期間の終了は、情報処理センタ１の情報処理サーバ１１で判定し、継続期間が終了したら、情報処理センタ１の情報処理サーバ１１からカード会社２のクレジット決済サーバ１２に、継続終了電文を送信するようにしている。他の構成については、前述の第１の実施形態と同様である。
【００７６】
図１３において、継続払い登録時には、ユーザ４の携帯端末１４は、決済端末１３にユーザ情報を送信する（ステップＳ２０１）。ここでは、ユーザ４が、販売員３が持ち歩いている決済端末１３にユーザ情報を入力するようにしても良い。また、決済端末１３は、ユーザ４からの継続期間情報入力を受け付ける（ステップＳ２０２）。そして、ユーザ４は決済端末１３にクレジットカード７を読み取らせ、決済端末１３は、クレジットカード７の情報を読み込む（ステップＳ２０３）。すると決済端末１３は、取得したユーザ情報と継続期間情報とクレジットカード情報とに基づいて、決済情報電文と、ユーザ情報電文と、継続期間電文とを作成する（ステップＳ２０４）。
【００７７】
決済端末１３は、情報処理センタ１の情報処理サーバ１１に、作成した決済情報電文と、ユーザ情報電文と、継続期間電文とを送信する（ステップＳ２０５ａ〜２０５ｃ）。決済情報電文は、図１１（Ａ）に示すように、端末ＩＤと、処理日時と、種別と、伝票番号と、クレジットカード情報と、決済金額と、商品コードと、処理結果（クレジット決済サーバ１２からの決済処理結果）とを含む。ユーザ情報電文は、図１１（Ｂ）に示すように、ユーザＩＤと、ユーザ名と、電話番号と、メールアドレスと、結果（情報処理サーバ１１からのユーザ情報登録結果）とを含む。継続期間電文は、図１１（Ｃ）に示すように、端末ＩＤと、処理日時と、種別と、ユーザＩＤと、継続開始年月と、継続終了年月と、結果（情報処理サーバ１１からの継続期間情報登録結果）とを含む。
【００７８】
情報処理センタ１の情報処理サーバ１１は、決済情報電文と、ユーザ情報電文と、継続期間電文とを受信すると、データベース１５１に図４に示した情報を記憶させる（ステップＳ２０６ａ〜２０６ｃ）。
【００７９】
情報処理センタ１の情報処理サーバ１１は、カード会社２のクレジット決済サーバ１２に、決済情報電文を送信する（ステップＳ２０７）。この決済情報電文は、図１２（Ａ）に示すように、端末ＩＤと、処理日時と、種別と、伝票番号と、クレジットカード情報と、決済金額と、商品コードと、処理結果（クレジット決済サーバ１２からの決済処理結果）とを含む。
【００８０】
カード会社２のクレジット決済サーバ１２は、決済情報電文を受信すると、カード決済の可／不可の判断を行う（ステップＳ２０８）。ここで、決済不可なら、クレジット決済サーバ１２は決済不可結果電文を作成して、情報処理センタ１の情報処理サーバ１１に送信する（ステップＳ２０９）。情報処理センタ１の情報処理サーバ１１は、決済不可結果電文を受信すると、決済端末１３に、決済不可結果電文を送信する（ステップＳ２１０）。決済端末１３は、決済不可結果電文を受信すると、決済不可の結果を表示部１０４に表示する（ステップＳ２１１）。
【００８１】
決済不可でなければ、情報処理センタ１の情報処理サーバ１１は、カード会社２のクレジット決済サーバ１２に、継続支払登録電文を送信する（ステップＳ２１２）。この継続支払登録電文は、図１２（Ｃ）に示すように、端末ＩＤと、登録日時と、種別と、伝票番号と、決済情報とを含む。決済情報は、クレジットカード情報と、決済金額と、商品コードと、処理結果（クレジット決済サーバ１２からの継続登録結果）とを含む。
【００８２】
カード会社２のクレジット決済サーバ１２は、継続支払登録を行う（ステップＳ２１３）。カード会社２のクレジット決済サーバ１２は、登録を完了すると、決済、登録完了電文を送信する（ステップＳ２１４）。情報処理センタ１の情報処理サーバ１１は、決済、登録完了電文を受信すると、データベース１５１を更新する（ステップＳ２１５）。そして、情報処理センタ１の情報処理サーバ１１は、決済端末１３に、決済結果電文を送信する（ステップＳ２１６）。
【００８３】
決済端末１３は、情報処理サーバ１１からの決済結果電文を受け取ると、印刷部１０９で、伝票９の作成、印字を行う（ステップＳ２１７）。販売員３は、ユーザ４に伝票９を渡す。
【００８４】
また、情報処理センタ１の情報処理サーバ１１はユーザ情報と継続期間情報とを含むメールを作成し、事業者５の事業者端末１５に、メール送信する（ステップＳ２１８）。事業者端末１５は、このメールを受信して表示する（ステップＳ２１９）。また、情報処理センタ１の情報処理サーバ１１は、登録情報、継続期間情報、情報処理センタへの接続情報が含まれるメールを作成し、ユーザ４の携帯端末１４に、メール送信する（ステップＳ２２０）。ユーザ４の携帯端末１４は、このメールを受信して表示する（ステップＳ２２１）。この接続情報には、情報処理センタへのアクセス先（ＵＲＬ）や、ＩＤ、パスワードが含まれている。
【００８５】
図１４は、毎月の課金処理の流れを示すシーケンス図である。カード会社２のクレジット決済サーバ１２は、毎月、設定時に、課金処理を行う（ステップＳ２３１ａ、２３１ｂ、…）。この例では、カード会社２のクレジット決済サーバ１２は、継続終了電文を受け取るまで、毎月、課金処理を行っている。
【００８６】
図１５は、継続停止時の処理の流れを示すシーケンス図である。継続を停止する場合には、ユーザ４は、ユーザ４の携帯端末１４で、情報処理センタ１のウェブサーバ１５３を経由して情報処理サーバ１１にアクセスする（ステップＳ２４１）。このとき、情報処理サーバ１１は、登録完了時に送られてきた接続情報を用いて、認証を行う（ステップＳ２４２）。
【００８７】
アクセスが許可されると、期間変更・終了画面が情報処理センタ１からユーザの携帯端末１４に送られてくる（ステップＳ２４３）。携帯端末１４は、この期間変更・終了画面２１０を表示する（ステップＳ２４４）。ユーザ４は、この期間変更・終了画面２１０で、携帯端末１４に継続期間終了を指示する。この継続期間の終了指示は、携帯端末１４から情報処理センタ１のウェブサーバ１５３を経由して情報処理サーバ１１に送られる（ステップＳ２４５）。
【００８８】
情報処理センタ１の情報処理サーバ１１は、継続期間の終了指示を受け取ると、これに応じて、データベース１５１の更新処理を行う（ステップＳ２４６）。そして、情報処理サーバ１１は、カード会社２のクレジット決済サーバ１２に、継続終了電文を送信する（ステップＳ２４７）。この継続終了電文は、図１２（Ｅ）に示すように、端末ＩＤと、処理日時と、種別と、ユーザＩＤと、継続開始年月と、継続終了年月と、結果（クレジット決済サーバ１２からの継続終了処理結果）の情報が含まれている。この継続終了電文では、種別は、終了となっている。
【００８９】
カード会社２のクレジット決済サーバ１２は、継続終了電文を受信すると、継続決済を終了する（ステップＳ２４８）。そして、情報処理サーバ１１は、事業者５の事業者端末１５に継続期間の終了を示す情報を含むメールを作成して送信する（ステップＳ２４９）。事業者端末１５は、このメールを受信して表示する（ステップＳ２５０）。また、情報処理センタ１の情報処理サーバ１１は、継続期間終了の処理が完了したことを示す情報を含むメールを作成してユーザ４の携帯端末１４に、メール送信する（ステップＳ２５１）。ユーザ４の携帯端末１４は、このメールを受信して表示する（ステップＳ２５２）。
【００９０】
図１６は、期間変更時の処理の流れを示すシーケンス図である。期間変更の場合には、ユーザの携帯端末１４は、ユーザ４から入力される操作情報に応じて、情報処理センタ１のウェブサーバ１５３を経由して情報処理サーバ１１にアクセスする（ステップＳ２６１）。このとき、情報処理サーバ１１は、登録完了時に送られてきた接続情報を用いて、認証を行う（ステップＳ２６２）。
【００９１】
アクセスが許可されると、期間変更・終了画面が情報処理センタ１からユーザ４の携帯端末１４に送られてくる（ステップＳ２６３）。携帯端末１４は、この期間変更・終了画面２１０を表示する（ステップＳ２６４）。ユーザ４は、この期間変更・終了画面２１０で、携帯端末１４に継続期間変更を指示する。この継続期間の変更指示は、携帯端末１４から情報処理センタ１の情報処理サーバ１１に送られる（ステップＳ２６５）。
【００９２】
情報処理センタ１の情報処理サーバ１１は、期間変更の指示を受け取ると、これに応じて、データベース１５１の更新処理を行う（ステップＳ２６６）。情報処理サーバ１１は、事業者５の事業者端末１５に継続期間の変更を示す情報を含むメールを作成して送信する（ステップＳ２６７）。事業者端末１５は、このメールを受信して表示する（ステップＳ２６８）。また、情報処理センタ１の情報処理サーバ１１は、継続期間の変更処理が完了したことを示すメールを作成してユーザ４の携帯端末１４に、メール送信する（ステップＳ２６９）。ユーザ４の携帯端末１４は、このメールを受信して表示する（ステップＳ２７０）。
【００９３】
図１７は、継続期間満了時の処理の流れを示すシーケンス図である。継続期間が満了すると、情報処理センタ１の情報処理サーバ１１は、カード会社２のクレジット決済サーバ１２に、継続終了電文を送信する（ステップＳ２８１）。この継続終了電文は、図１２（Ｅ）に示すように、端末ＩＤと、処理日時と、種別と、ユーザＩＤと、継続開始年月と、継続終了年月と、結果（クレジット決済サーバ１２からの継続終了処理結果）の情報が含まれている。この継続終了電文では、種別は、終了となっている。
【００９４】
カード会社２のクレジット決済サーバ１２は、継続終了電文を受信すると、継続決済を終了する（ステップＳ２８２）。また、継続期間が満了すると、情報処理サーバ１１は、事業者５の事業者端末１５に、その継続期間の満了を示す情報を含むメールを作成して送信する（ステップＳ２８３）。事業者端末１５は、このメールを受信して表示する（ステップＳ２８４）。また、情報処理センタ１の情報処理サーバ１１は、継続期間が満了したことを示す情報を含むメールを作成して、ユーザ４の携帯端末１４に、メール送信する（ステップＳ２８５）。ユーザ４の携帯端末１４は、このメールを受信して表示する（ステップＳ２８６）。
【００９５】
上述のように、本発明の第２の実施形態では、情報処理センタ１の情報処理サーバ１１は、カード会社２のクレジット決済サーバ１２に、図１２（Ｃ）に示した継続支払登録電文を送って、継続支払いを開始させ、継続満了時に、情報処理センタ１の情報処理サーバ１１からカード会社２のクレジット決済サーバ１２に、図１２（Ｅ）に示した継続終了電文を送信して、継続決済を終了させている。この場合、情報処理センタ１の情報処理サーバ１１からカード会社２のクレジット決済サーバ１２に、継続期間情報付きの継続支払登録電文を送る必要はない。
【００９６】
＜第３の実施形態＞
図１８〜図２２は、本発明の第３の実施形態の処理を示すシーケンス図である。この実施形態では、情報処理センタ１の情報処理サーバ１１が、継続期間に関する情報の管理の全てを行い、毎月、カード会社２のクレジット決済サーバ１２に、決済情報電文を送信して、課金を行うようにしている。他の構成については、上述の第１及び第２の実施形態と同様である。
【００９７】
図１８において、継続払い登録時には、ユーザの携帯端末１４は、決済端末１３にユーザ情報を送信する。（ステップＳ３０１）。ここでは、ユーザ４が、販売員３が持ち歩いている決済端末１３にユーザ情報を入力するようにしても良い。また、決済端末１３は、ユーザ４からの継続期間情報入力を受け付ける（ステップＳ３０２）。そして、ユーザ４は決済端末１３にクレジットカード７を読み取らせ、決済端末１３は、クレジットカード７の情報を読み込む（ステップＳ２０３）。すると決済端末１３は、取得したユーザ情報と継続期間情報とクレジットカード情報とに基づいて、決済情報電文と、ユーザ情報電文と、継続期間電文とを作成する（ステップＳ３０４）。
【００９８】
決済端末１３は、情報処理センタ１の情報処理サーバ１１に、作成した決済情報電文と、ユーザ情報電文と、継続期間電文とを送信する（ステップＳ３０５ａ〜３０５ｃ）。決済情報電文は、図１１（Ａ）に示すように、端末ＩＤと、処理日時と、種別と、伝票番号と、クレジットカード情報と、決済金額と、商品コードと、処理結果（決済サーバ１２からの決済処理結果）とを含む。ユーザ情報電文は、図１１（Ｂ）に示すように、ユーザＩＤと、ユーザ名と、電話番号と、メールアドレスと、結果（情報処理サーバ１１からのユーザ情報登録結果）とを含む。継続期間電文は、図１１（Ｃ）に示すように、端末ＩＤと、処理日時と、種別と、ユーザＩＤと、継続開始年月と、継続終了年月と、結果（情報処理サーバ１１からの継続期間情報登録結果）とを含む。
【００９９】
情報処理センタ１の情報処理サーバ１１は、決済情報電文と、ユーザ情報電文と、継続期間電文とを受信すると、データベース１５１に図４に示した情報を記憶させる（ステップＳ３０６ａ〜３０６ｃ）。情報処理センタ１の情報処理サーバ１１は、カード会社２のクレジット決済サーバ１２に、決済情報電文を送信する（ステップＳ３０７）。この決済情報電文は、図１２（Ａ）に示すように、端末ＩＤと、処理日時と、種別と、伝票番号と、クレジットカード情報と、決済金額と、商品コードと、処理結果（クレジット決済サーバ１２からの決済処理結果）とを含む。
【０１００】
カード会社２のクレジット決済サーバ１２は、決済情報電文を受信すると、カード決済の可／不可の判断を行う（ステップＳ３０８）。ここで、決済不可なら、クレジット決済サーバ１２は決済不可結果電文を作成して、情報処理センタ１の情報処理サーバ１１に送信する（ステップＳ３０９）。情報処理センタ１の情報処理サーバ１１は、決済不可結果電文を受信すると、決済端末１３に、決済不可結果電文を送信する（ステップＳ３１０）。決済端末１３は、決済不可結果電文を受信すると、決済不可の結果を表示部１０４に表示する（ステップＳ３１１）。
【０１０１】
決済不可でなければ、カード会社２のクレジット決済サーバ１２は、登録を完了すると、決済、登録完了電文を送信する（ステップＳ３１２）。情報処理センタ１の情報処理サーバ１１は、決済、登録完了電文を受信すると、データベース１５１を更新する（ステップＳ３１３）。そして、情報処理センタ１の情報処理サーバ１１は、決済端末１３に、決済結果を送信する（ステップＳ３１４）。
【０１０２】
決済端末１３は、情報処理サーバ１１からの決済結果を受け取ると、印刷部１０９で、伝票９の作成、印字を行う（ステップＳ３１５）。販売員３は、ユーザ４に伝票９を渡す。
【０１０３】
また、情報処理センタ１の情報処理サーバ１１はユーザ情報と継続期間情報を含むメールを作成し、事業者５の事業者端末１５に、メール送信する（ステップＳ３１６）。事業者端末１５は、このメールを受信して表示する（ステップＳ３１７）。また、情報処理センタ１の情報処理サーバ１１は、登録情報、継続期間情報、情報処理センタへの接続情報を含むメールを作成し、ユーザ４の携帯端末１４に、メール送信する（ステップＳ３１８）。ユーザ４の携帯端末１４は、このメールを受信して表示する（ステップＳ３１９）。この接続情報には、情報処理センタへのアクセス先（ＵＲＬ）や、ＩＤ、パスワードが含まれている。
【０１０４】
図１９は、毎月の課金処理の流れを示すシーケンス図である。情報処理サーバ１１は、毎月、設定時に、決済情報電文を送信する（ステップＳ３３１ａ、３３１ｂ、…）。この決済情報電文は、図１２（Ａ）に示すように、端末ＩＤと、処理日時と、種別と、伝票番号と、クレジットカード情報と、決済金額と、商品コードと、処理結果（クレジット決済サーバ１２からの決済処理結果）とを含む。カード会社２のクレジット決済サーバ１２は、決済情報電文を受信すると、カード決済により毎月の課金処理を行う（ステップＳ３３２ａ、３３２ｂ、…）。
【０１０５】
図２０は、継続停止時の処理の流れを示すシーケンス図である。継続を停止する場合には、ユーザ４は、ユーザの携帯端末１４で、情報処理センタ１のウェブサーバ１５３を経由して情報処理サーバ１１にアクセスする（ステップＳ３４１）。このとき、情報処理サーバ１１は、登録完了時に送られてきた接続情報を用いて、認証を行う（ステップＳ３４２）。
【０１０６】
アクセスが許可されると、期間変更・終了画面が情報処理センタ１からユーザの携帯端末１４に送られてくる（ステップＳ３４３）。携帯端末１４は、この期間変更・終了画面２１０を表示する（ステップＳ３４４）。
【０１０７】
ユーザ４は、この期間変更・終了画面２１０で、携帯端末１４に継続期間終了を指示する。この継続期間の終了指示は、携帯端末１４から情報処理センタ１の情報処理サーバ１１に送られる（ステップＳ３４５）。
【０１０８】
情報処理センタ１の情報処理サーバ１１は、継続期間の終了指示を受け取ると、これに応じて、データベース１５１の更新処理を行う（ステップＳ３４６）。情報処理センタ１の情報処理サーバ１１は、当月分決済前ならば、図１２（Ａ）に示すような決済情報電文を送信し（ステップＳ３４７）、カード会社２のクレジット決済サーバ１２は、決済情報電文を受信すると、それまでの料金をカード決済により処理する（ステップＳ３４８）。そして、情報処理サーバ１１は、事業者５の事業者端末１５に、継続期間の終了を示す情報が含まれるメールを作成して送信する（ステップＳ３４９）。事業者端末１５は、このメールを受信して表示する（ステップＳ３５０）。また、情報処理センタ１の情報処理サーバ１１は、継続期間終了の処理が完了したことを示すメールを作成して、ユーザ４の携帯端末１４に、メール送信する（ステップＳ３５１）。ユーザ４の携帯端末１４は、このメールを受信して表示する（ステップＳ３５２）。
【０１０９】
図２１は、期間変更時の処理の流れを示すシーケンス図である。期間変更の場合には、ユーザ４は、ユーザの携帯端末１４で、情報処理センタ１のウェブサーバ１５３を経由して情報処理サーバ１１にアクセスする（ステップＳ３６１）。このとき、情報処理サーバ１１は、登録完了時に送られてきた接続情報を用いて、認証を行う（ステップＳ３６２）。
【０１１０】
アクセスが許可されると、期間変更・終了画面が情報処理センタ１からユーザの携帯端末１４に送られてくる（ステップＳ３６３）。携帯端末１４は、この期間変更・終了画面２１０を表示する（ステップＳ３６４）。
【０１１１】
ユーザ４は、この期間変更・終了画面２１０で、携帯端末１４に継続期間変更を指示する。この継続期間の変更指示は、携帯端末１４から情報処理センタ１の情報処理サーバ１１に送られる（ステップＳ３６５）。
【０１１２】
情報処理センタ１の情報処理サーバ１１は、期間変更の指示を受け取ると、これに応じて、データベース１５１の更新処理を行う（ステップＳ３６６）。そして、情報処理サーバ１１は、事業者５の事業者端末１５に、継続期間の変更を示す情報を含むメールを作成して送信する（ステップＳ３６７）。事業者端末１５は、このメールを受信して表示する（ステップＳ３６８）。また、情報処理センタ１の情報処理サーバ１１は、継続期間の変更処理を示す情報を含むメールを作成して、ユーザ４の携帯端末１４にメール送信する（ステップＳ３６９）。ユーザ４の携帯端末１４は、このメールを受信して表示する（ステップＳ３７０）。
【０１１３】
図２２は、継続期間満了時の処理の流れを示すシーケンス図である。継続期間が満了すると、情報処理センタ１の情報処理サーバ１１は、カード会社２のクレジット決済サーバ１２に、図１２（Ａ）に示すような決済情報電文を送信し（ステップＳ３８１）、クレジット決済サーバ１２は、それまでの料金をカード決済により処理する（ステップＳ３８２）。また、継続期間が満了すると、情報処理サーバ１１は、事業者５の事業者端末１５に、継続期間の満了を示す情報を含むメールを作成して送信する（ステップＳ３８３）。事業者端末１５は、このメールを受信して表示する（ステップＳ３８４）。また、情報処理センタ１の情報処理サーバ１１は、継続期間の満了を示す情報を含むメールを作成してユーザ４の携帯端末１４に、メール送信する（ステップＳ３８５）。ユーザ４の携帯端末１４は、このメールを受信して表示する（ステップＳ３８６）。
【０１１４】
上述のように、本発明の第３の実施形態では、情報処理センタ１の情報処理サーバ１１は、毎月、カード会社２のクレジット決済サーバ１２に、決済情報電文を送信して、課金を行うようにしている。このため、継続期間情報付きの継続支払登録電文を情報処理センタ１の情報処理サーバ１１からカード会社２のクレジット決済サーバ１２に送る必要はない。
【０１１５】
＜変形例、応用例＞
本発明は、上述した実施形態に限定されるものではなく、本発明の要旨を逸脱しない範囲内で様々な変形や応用が可能である。
例えば、上述の実施形態では、決済端末１３にクレジットカード７の情報を読み取らせ、決済端末１３の情報が情報処理センタ１の情報処理サーバ１１に送信されると、情報処理センタ１の情報処理サーバ１１がカード会社２のクレジット決済サーバ１２に決済情報および継続支払登録情報を送信して、決済処理を行う。このとき、ユーザ４が携帯端末１４で情報処理センタ１のウェブサーバ１５３を経由して情報処理サーバ１１にアクセスし、決済端末１３で入力した各種情報の内容に承認しなければ、カード会社２のクレジット決済サーバ１２での決済処理がなされないようにするようにしても良い。このようにすると、ユーザ４の承認がなければ、決済処理が行われず、信頼性が向上する。すなわち、情報処理サーバ１１が決済端末１３からのクレジット情報と継続期間情報とを受信したときに、情報処理サーバ１１はユーザの携帯端末１４に接続情報（ＩＤ、パスワード）を送信して、送信した接続情報に応じたアクセスがあった後でなければ、決済しないようにする決済判断部を設ける。
【０１１６】
また、本発明は、病院での支払いをクレジットカードで行う場合にも利用できる。従来の継続払いシステムでは、入院や長期療養等の支払期間が変動したり、比較的短期間の支払の場合は対応が困難である。本発明では、療養期間を継続期間とすると、療養期間に応じた支払いが可能である。なお、このようなケースでは、ユーザが継続期間を入力する代わりに、病院側が入力してもよい。このときユーザがユーザ端末で継続支払の承認をすることを契機として、情報処理センタはカード会社に情報を送信する。また、継続期間変更および期間終了を、病院側で入力してもよい。
【０１１７】
また、本発明は、インターネット等の通信販売サイトでのクレジット継続払いで継続期間指定を実現する場合にも適用できる。通信販売サイトでの実施例では、決済端末の代わりに通信販売サイトのＷＥＢアプリケーションにより継続支払が選択された際に、ユーザに対して期間情報入力を促し、クレジットカード決済時に、各情報を情報処理センタに送信すれば良い。
【０１１８】
なお、本発明における処理部の機能を実現するためのプログラムをコンピュータ読み取り可能な記録媒体に記録して、この記録媒体に記録されたプログラムをコンピュータシステムに読み込ませ、実行することによりクレジット決済を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１１９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１２０】
１１  情報処理サーバ
１２  クレジット決済サーバ
１３  決済端末
１４  携帯端末
１５  事業者端末
２１ａ，２１ｂ  専用回線
２３  公衆回線
５１  データベース
１０１  制御部
１０２  カード読取部
１０３  入力部
１０４  表示部
１０５  通信部
１０６  赤外線インターフェース
１０７  ワイヤレスインターフェース
１０８  記憶部
１０９  印刷部
１１０  電源部
１５１  データベース
１５２  ゲートウェイサーバ
１５３  ウェブサーバ
１５４  ゲートウェイサーバ
【図１】
2010170487.tif 000003
【図２】
2010170487.tif 000004
【図３】
2010170487.tif 000005
【図４】
2010170487.tif 000006
【図５】
2010170487.tif 000007
【図６】
2010170487.tif 000008
【図７】
2010170487.tif 000009
【図８】
2010170487.tif 000010
【図９】
2010170487.tif 000011
【図１０】
2010170487.tif 000012
【図１１】
2010170487.tif 000013
【図１２】
2010170487.tif 000014
【図１３】
2010170487.tif 000015
【図１４】
2010170487.tif 000016
【図１５】
2010170487.tif 000017
【図１６】
2010170487.tif 000018
【図１７】
2010170487.tif 000019
【図１８】
2010170487.tif 000020
【図１９】
2010170487.tif 000021
【図２０】
2010170487.tif 000022
【図２１】
2010170487.tif 000023
【図２２】
2010170487.tif 000024